(57)【特許請求の範囲】
【請求項１】
差動対をなすよう第１及び第２のトランジスタが差動接続され、当該差動接続部分に定電流源が接続される一方、前記第１及び第２のトランジスタの前記差動接続部分と反対側には、負荷が接続されてなる差動増幅回路が設けられ、前記差動増幅回路の出力側には位相補償用のコンデンサが設けられ、
前記第２のトランジスタのベース電位が第１のトランジスタのベース電位よりも所定値以上大きくなった際に、電流を出力する正電流第１出力ノードと電流を引き込む負電流第１出力ノードとを有する一方、前記第２のトランジスタのベース電位が第１のトランジスタのベース電位よりも所定値以上小さくなった際に、電流を出力する正電流第２出力ノードと電流を引き込む負電流第２出力ノードとを有するよう構成されてなる電流供給回路が設けられ、
前記正電流第１出力ノードは、前記第１のトランジスタのコレクタに接続され、
前記正電流第２出力ノードは、前記第２のトランジスタのコレクタに接続され、
前記負電流第１出力ノード及び前記負電流第２出力ノードには、共に所定の高電源電圧が印加されてなることを特徴とする演算増幅器。
【請求項２】
前記電流供給回路は、供給回路用第１のトランジスタのコレクタが前記負電流第２出力ノードに、供給回路用第２のトランジスタのコレクタが前記負電流第１出力ノードに、それぞれ接続され、
前記供給回路用第１のトランジスタのエミッタは、供給回路用第１の抵抗器を介して供給回路用第４のトランジスタのエミッタに、前記供給回路用第２のトランジスタのエミッタは、供給回路用第２の抵抗器を介して供給回路用第３のトランジスタのエミッタに、それぞれ接続され、
前記供給回路用第１のトランジスタのベースは、前記第１のトランジスタのベースに、前記供給回路用第２のトランジスタのベースは、前記第２のトランジスタのベースに、それぞれ接続され、
前記供給回路用第３のトランジスタのコレクタは、前記正電流第１出力ノードに、前記供給回路用第４のトランジスタのコレクタは、前記正電流第２出力ノードに、それぞれ接続され、
前記供給回路用第３及び第４のトランジスタのベースは相互に接続され、当該接続点と所定の低電源電圧との間には、供給回路用定電流源が設けられる一方、前記ベース同士の接続点には、ダイオードのカソードが接続され、
前記ダイオードのアノードには、供給回路用第９のトランジスタのエミッタが接続され、前記供給回路用第９のトランジスタのコレクタには、所定の高電源電圧が印加され、前記供給回路用第９のトランジスタのベースは、前記第１及び第２のトランジスタのエミッタに接続されてなることを特徴とする請求項１記載の演算増幅器。
【請求項３】
前記電流供給回路は、供給回路用第１のトランジスタのコレクタが前記負電流第２出力ノードに、供給回路用第２のトランジスタのコレクタが前記負電流第１出力ノードに、それぞれ接続され、
前記供給回路用第１のトランジスタのエミッタは、供給回路用第１の抵抗器を介して供給回路用第４のトランジスタのエミッタに、前記供給回路用第２のトランジスタのエミッタは、供給回路用第２の抵抗器を介して供給回路用第３のトランジスタのエミッタに、それぞれ接続され、
前記供給回路用第１のトランジスタのベースは、前記第１のトランジスタのベースに、前記供給回路用第２のトランジスタのベースは、前記第２のトランジスタのベースに、それぞれ接続され、
前記供給回路用第３のトランジスタのコレクタは、前記正電流第１出力ノードに、前記供給回路用第４のトランジスタのコレクタは、前記正電流第２出力ノードに、それぞれ接続され、
前記供給回路用第３及び第４のトランジスタのベースは相互に接続され、当該接続点と所定の低電源電圧との間には、供給回路用定電流源が設けられる一方、前記ベース同士の接続点には、供給回路用抵抗器を介してダイオードのカソードが接続され、
前記ダイオードのアノードには、供給回路用第９のトランジスタのエミッタが接続され、前記供給回路用第９のトランジスタのコレクタには、所定の高電源電圧が印加され、前記供給回路用第９のトランジスタのベースは、前記第１及び第２のトランジスタのエミッタに接続されてなることを特徴とする請求項１記載の演算増幅器。  
【請求項４】
前記電流供給回路は、供給回路用第１のトランジスタのコレクタが前記負電流第２出力ノードに、供給回路用第２のトランジスタのコレクタが前記負電流第１出力ノードに、それぞれ接続され、
前記供給回路用第１のトランジスタのエミッタは、供給回路用第１の抵抗器を介して供給回路用第４のトランジスタのエミッタに、前記供給回路用第２のトランジスタのエミッタは、供給回路用第２の抵抗器を介して供給回路用第３のトランジスタのエミッタに、それぞれ接続され、
前記供給回路用第１のトランジスタのベースは、前記第１のトランジスタのベースに、前記供給回路用第２のトランジスタのベースは、前記第２のトランジスタのベースに、それぞれ接続され、
前記供給回路用第３のトランジスタのコレクタは、前記正電流第１出力ノードに、前記供給回路用第４のトランジスタのコレクタは、前記正電流第２出力ノードに、それぞれ接続され、
前記供給回路用第３及び第４のトランジスタのベースは相互に接続され、当該接続点と所定の低電源電圧との間には、供給回路用定電流源が設けられる一方、前記ベース同士の接続点には、ダイオードのカソードが接続され、
前記ダイオードのアノードは、供給回路用抵抗器を介して供給回路用第９のトランジスタのエミッタに接続され、前記供給回路用第９のトランジスタのコレクタには、所定の高電源電圧が印加され、前記供給回路用第９のトランジスタのベースは、前記第１及び第２のトランジスタのエミッタに接続されてなることを特徴とする請求項１記載の演算増幅器。
【請求項５】
請求項１乃至請求項４記載のトランジスタを電界効果トランジスタとし、前記トランジスタのベースを、前記電界効果トランジスタのゲートに、前記トランジスタのコレクタを前記電界効果トランジスタのドレインに、前記トランジスタのエミッタを前記電界効果トランジスタのソースに、それぞれ置き換えたことを特徴とする演算増幅器。
【発明の詳細な説明】
【技術分野】
【０００１】
本発明は、演算増幅器に係り、特に、スルーレートの増大等を図ったものに関する。
【背景技術】
【０００２】
演算増幅器は、増幅回路や比較回路等の種々の電子回路を構成する際に多く用いられるが、高速、且つ、安定性の高いパルス応答性を有することが理想とされる。一般的な演算増幅器においては、帰還回路を構成する際の安定性を確保するための位相補償用コンデンサが設けられているが、上述のような高速化のためには、このコンデンサの容量を小さくするか、コンデンサに流れる電流を増大させる必要がある。
【０００３】
図１０には、従来回路の一構成例が示されており、以下、同図を参照しつつ、従来回路について説明する。
この従来の演算増幅器１０は、ＰＮＰ型のバイポーラトランジスタである第１及び第２のトランジスタＱ１，Ｑ２と、第３の定電流源ＣＳ３により差動増幅回路が構成される一方、ＰＮＰ型のバイポーラトランジスタである第５及び第６のトランジスタＱ５，Ｑ６によるカレントミラーと共にＮＰＮ型のバイポーラトランジスタである第３及び第４のトランジスタＱ３，Ｑ４により出力回路が構成されたものとなっている。
さらに、トランジスタＱ３，Ｑ４による出力回路には、バッファＸ１が接続されており、出力信号は、バッファＸ１により外部へ出力可能となっている。
【０００４】
かかる演算増幅器１０を用いて、例えば、図３に示されたようにボルテージホロアを構成した場合に、パルス信号を印加した際の動作について、以下に説明する。
まず、正転入力端子ＩＮ＋に、低電圧ＶＬと高電圧ＶＨとの間で変化するパルス信号が印加される前、すなわち、正転入力端子ＩＮ＋が低電圧ＶＬの状態においては、反転入力端子ＩＮ−も同電位である。
次に、高電圧ＶＨのパルス信号が、任意のパルス立ち上がり速度で正転入力端子ＩＮ＋に印加されると（図３参照）、第１のトランジスタＱ１がオン状態となる一方、第２のトランジスタＱ２がオフ状態となり、第３の定電流源ＣＳ３からの全電流が第１のトランジスタＱ１に流れ、そのコレクタ電流の大きさは、Ｉ３となる。一方、第２のトランジスタＱ２の電流は零となる。
【０００５】
この際、第１の定電流源ＣＳ１の電流は、第１乃至第３の定電流源ＣＳ１〜ＣＳ３の電流が、Ｉ１＝Ｉ２＝Ｉ３の関係にあるため、第１のトランジスタＱ１を通して流れるＩ３によって供給されることとなる。したがって、第４のトランジスタＱ４のエミッタから第１の定電流源ＣＳ１に流れる電流は零であり、第４のトランジスタＱ４はオフ状態である。
【０００６】
一方、第２の定電流源ＣＳ２の電流は、第１のトランジスタＱ２がオフ状態であるため、第３及び第５のトランジスタＱ３，Ｑ５を通して流れることとなる。なお、この電流の大きさは、Ｉ２である。
ここで、第５及び第６のトランジスタＱ５，Ｑ６は、カレントミラーを構成しているため、第６のトランジスタＱ６のコレクタからは、電流Ｉ２と等しい電流が流れ出ることとなる。
またこのとき、前述したように、第４のトランジスタＱ４は、オフ状態であるため、電流Ｉ２は、位相補償用のコンデンサＣｃに流れ込む。ここで、第１乃至第３の定電流源ＣＳ１〜ＣＳ３は、先に述べたように、Ｉ１＝Ｉ２＝Ｉ３の関係にあるため、結果として、コンデンサＣｃに流れ込む電流の大きさはＩ３となる。
【０００７】
コンデンサＣｃに電流が流れ込むことは、コンデンサＣｃが充電されることになり、Ｐ点（図１０参照）の電位が上昇し、この点の電位は、バッファＸ１を介して出力端子ＯＵＴへ伝わり、最終的に、出力端子ＯＵＴの電圧は、入力端子ＩＮ＋と同じ高電圧ＶＨになる。
この出力端子ＯＵＴの電位の変化の速さは、スルーレートＳＲと称され、電流Ｉ３がコンデンサＣｃを充電することを表す下記する式１により定義される。
【０００８】
ＳＲ＝Ｉ３／Ｃｃ・・・式１
【０００９】
このスルーレートＳＲの値が大きいほど、パルス応答速度が速いことを意味する。ところが、図１０に示された従来回路においては、式１を参考に、電流Ｉ３を大きくするか、コンデンサＣｃの容量値を小さくすることで、スルーレートの改善を図っている。
【００１０】
しかしながら、上述のような方法でスルーレートを増大させると、演算増幅器の安定性の指標である位相余裕が減少し、出力電圧に振動が発生し、動作の安定性が損なわれるという問題がある。
そこで、本願出願人は、先に、そのような問題を解決するため、特許文献１に示されるように、電流Ｉ３を大きくすることなく、コンデンサＣｃの充電電流を増加させることができるような回路構成の演算増幅器を提案している。
【００１１】
図１１には、かかる演算増幅器２０が示されており、以下、同図を参照しつつ、この演算増幅器２０について概括的に説明する。
この演算増幅器２０は、先に図１０に示された回路に、ＮＰＮ型のバイポーラトランジスタＱＡ１、ＱＡ２、ＱＡ６、ＱＡ８、ＱＢ１、ＱＢ２、ＰＮＰ型のバイポーラトランジスタＱＡ３、ＱＡ４，ＱＡ５、ＱＡ７、抵抗器ＲＡ１〜ＲＡ４、定電流源ＣＳ４、ＣＳ５を付加した構成として、スルーレートの増大を図ったものである。
【００１２】
かかる演算増幅器２０は、正転入力端子ＩＮ＋と反転入力端子ＩＮ−の入力端子間電位差Ｖdifが、ベース・エミッタ間電位差１Ｖｂｅ以上、すなわち、約０．６Ｖ以上の高電圧となったときのみ、トランジスタＱＡ２、ＱＡ３がオンし、トランジスタＱＡ５にコレクタ電流が流れるようになっている。そして、このコレクタ電流が、トランジスタＱＡ５、ＱＡ７、抵抗器ＲＡ３のカレントミラーによりミラーされて、コンデンサＣｃに、電流Ｉａとして供給されるようになっている。コンデンサＣｃには、既に電流Ｉ３が供給されているので、コンデンサＣｃに供給される電流のトータルの大きさは、Ｉ３＋Ｉａとなる。したがって、このときのスルーレートは、下記する式２で表される大きさとなる。
【００１３】
ＳＲ＝（Ｉ３＋Ｉａ）／Ｃｃ・・・式２
【００１４】
この式２で表されるスルーレートは、先の式１で表されるスルーレートに比して、Ｉａ／Ｃｃだけ高くなっており、これにより、パルス応答特性の高速化を実現できるものとなっている。
なお、正転入力端子ＩＮ＋が反転入力端子ＩＮ−よりも約１Ｖｂｅ以上、すなわち、約０．６Ｖ以上低電圧になったときにのみ、上述とは逆に、トランジスタＱＡ１、ＱＡ４がオンし、トランジスタＱＡ６に流れるコレクタ電流がトランジスタＱＡ８のコレクタ電流にミラーされて、トランジスタＱＡ４のコレクタに流れる電流と加算されてコンデンサＣｃに吸い込み電流として供給される。その結果、コンデンサＣｃの電荷が高速放電されることとなり、上述と同様にスルーレートが高くなるものとなっている。
なお、正転入力端子ＩＮ＋と反転入力端子ＩＮ−の電位差が約０．６Ｖ未満のときは、ＩａがコンデンサＣｃに追加供給されないため、演算増幅器の安定性を損なうことはない。
【先行技術文献】
【特許文献】
【００１５】
【特許文献１】特開２００８−２１１６５４号公報（第５−７頁、図１−図５）
【発明の概要】
【発明が解決しようとする課題】
【００１６】
しかしながら、図１０に示された最初の従来回路の場合、スルーレートは、式１により求められるものとなるため、電流Ｉ３を大きくするか、コンデンサＣｃを小さくする必要があるが、それによって動作の安定性が損なわれるという問題がある。
一方、図１１に示された従来回路の場合、動作の安定性を損なうことなく、スルーレートを増大することができるが、追加の素子が多く、しかも、２つの定電流源の追加を含むため、消費電流の増大を招き、実用性の点で十分なものとは言い難いという問題がある。さらに、図１１に示された従来回路においては、２つの入力端子ＩＮ＋，ＩＮ−に接続されたトランジスタＱＢ１，ＱＢ２が常時オン状態であるため、これらの素子により演算増幅器の入力換算雑音電圧が増加するという欠点があった。
【００１７】
本発明は、上記実状に鑑みてなされたもので、従来回路よりも少ない素子の追加によって入力換算雑音電圧を増加させることなく、従来回路と同等の性能で回路の安定性を保持したまま、スルーレートの増大可能な演算増幅器を提供するものである。
【課題を解決するための手段】
【００１８】
上記本発明の目的を達成するため、本発明に係る演算増幅器は、
差動対をなすよう第１及び第２のトランジスタが差動接続され、当該差動接続部分に定電流源が接続される一方、前記第１及び第２のトランジスタの前記差動接続部分と反対側には、負荷が接続されてなる差動増幅回路が設けられ、前記差動増幅回路の出力側には位相補償用のコンデンサが設けられ、
前記第２のトランジスタのベース電位が第１のトランジスタのベース電位よりも所定値以上大きくなった際に、電流を出力する正電流第１出力ノードと電流を引き込む負電流第１出力ノードとを有する一方、前記第２のトランジスタのベース電位が第１のトランジスタのベース電位よりも所定値以上小さくなった際に、電流を出力する正電流第２出力ノードと電流を引き込む負電流第２出力ノードとを有するよう構成されてなる電流供給回路が設けられ、
前記正電流第１出力ノードは、前記第１のトランジスタのコレクタに接続され、
前記正電流第２出力ノードは、前記第２のトランジスタのコレクタに接続され、
前記負電流第１出力ノード及び前記負電流第２出力ノードには、共に所定の高電源電圧が印加されてなるものである。
【発明の効果】
【００１９】
本発明によれば、入力電圧が低電位から高電位に遷移する際、及び、高電位から低電位に遷移する際にのみ、一時的に位相補償用コンデンサに電流を追加供給可能としたので、動作の安定性を損なうことなく、スルーレートを増大させることができ、しかも、従来回路に比して、少ない回路素子の追加で実現できるようにしたので、回路の小規模化が可能となり、その上、従来に比して、消費電流が低減されるという効果を奏するものである。また、回路素子の追加に起因した演算増幅器の入力換算雑音電圧を増加させることがないという効果を奏するものである。
【図面の簡単な説明】
【００２０】
【図１】本発明の実施の形態における演算増幅器の第１の基本回路構成例を示す回路図である。
【図２】図１に示された第１の基本回路構成例における電流供給回路の第１の構成例を示す回路図である。
【図３】演算増幅器を用いたボルテージホロアの回路構成を示す回路図である。
【図４】本発明の実施の形態における演算増幅器のパルス信号入力に対する出力応答特性を、従来の演算増幅器の同様な特性と共に示す特性線図である。
【図５】本発明の実施の形態における演算増幅器のパルス信号入力に対するスルーレートの時間変化を、従来の演算増幅器の同様な特性と共に示す特性線図である。
【図６】図１に示された第１の基本回路構成例における電流供給回路の第２の構成例を示す回路図である。
【図７】図１に示された第１の基本回路構成例における電流供給回路の第３の構成例を示す回路図である。
【図８】本発明の実施の形態における演算増幅器の第２の基本回路構成例を示す回路図である。
【図９】本発明の実施の形態における演算増幅器の第３の基本回路構成例を示す回路図である。
【図１０】従来の演算増幅器の第１の回路構成例を示す回路図である。
【図１１】従来の演算増幅器の第２の回路構成例を示す回路図である。
【発明を実施するための形態】
【００２１】
以下、本発明の実施の形態について、図１乃至図９を参照しつつ説明する。
なお、以下に説明する部材、配置等は本発明を限定するものではなく、本発明の趣旨の範囲内で種々改変することができるものである。
最初に、本発明の実施の形態における演算増幅器の第１の基本回路構成例について、図１を参照しつつ説明する。
この演算増幅器３０Ａは、ＰＮＰ型のバイポーラトランジスタである第１及び第２のトランジスタ（図１においては、それぞれ「Ｑ１」、「Ｑ２」と表記）１１，１２と、第３の定電流源（図１においては「ＣＳ３」と表記）３３により差動増幅回路が構成される一方、ＰＮＰ型のバイポーラトランジスタである第５及び第６のトランジスタ（図１においては、それぞれ「Ｑ５」、「Ｑ６」と表記）１５，１６によるカレントミラーと共にＮＰＮ型のバイポーラトランジスタである第３及び第４のトランジスタ（図１においては、それぞれ「Ｑ３」，「Ｑ４」と表記）１３，１４により出力回路が構成されたものとなっている。
【００２２】
さらに、第３及び第４のトランジスタ１３，１４による出力回路には、バッファ（図１においては「Ｘ１」と表記）１９が接続されており、出力信号は、バッファ１９により外部へ出力可能となっている。
またさらに、詳細は、後述するが、電流供給回路１００Ａが設けられており、スルーレートの増大を可能としたものとなっている。
【００２３】
以下、具体的に説明すれば、まず、差動増幅回路を構成する第１及び第２のトランジスタ１１，１２は、エミッタ同士が接続されて差動接続とされ、その接続点には、高電源電圧Ｖ＋が印加されて動作する第３の定電流源３３が接続されたものとなっている。
一方、第１及び第２のトランジスタ１１，１２のコレクタ側には、ＮＰＮ型のバイポーラトランジスタである第３及び第４のトランジスタ１３，１４により構成された出力回路が接続されると共に、第１のトランジスタ１１のコレクタと低電源電圧Ｖ−との間には、第１の定電流源（図１においては「ＣＳ１」と表記）３１が、また、第２のトランジスタ１２のコレクタと低電源電圧Ｖ−との間には、第２の定電流源（図１においては「ＣＳ２」と表記）３２が、それぞれ接続されたものとなっている。
【００２４】
出力回路を構成する第３及び第４のトランジスタ１３，１４は、ベースが相互に接続されると共に、その接続点と低電源電圧Ｖ−との間には、電圧Ｖ１を出力するバイアス電源３０が、その正極側がベースに接続されるように設けられている。
一方、第３のトランジスタ１３のエミッタは、第２のトランジスタ１２のコレクタに、第４のトランジスタ１４のエミッタは、第１のトランジスタ１１のコレクタに、それぞれ接続されたものとなっている。
【００２５】
また、第３のトランジスタ１３のコレクタには、第５のトランジスタ１５のコレクタが、第４のトランジスタ１４のコレクタには、第６のトランジスタ１６のコレクタが、それぞれ接続されている。
第５及び第６のトランジスタ１５，１６は、ベースが相互に接続されると共に、第５のトランジスタ１５のコレクタに接続され、カレントミラーを形成するものとなっている。
【００２６】
第５のトランジスタ１５のエミッタは、第１の抵抗器（図１においては「Ｒ１」と表記）４１を介して、第６のトランジスタ１６のエミッタは、第２の抵抗器（図１においては「Ｒ２」と表記）４２を介して、共に高電源電圧Ｖ＋が印加されるようになっている。
また、第４のトランジスタ１４のコレクタと第６のトランジスタ１６のコレクタの相互の接続点は、バッファ１９の入力段に接続される一方、その接続点と低電源電圧Ｖ−との間には、位相補償用のコンデンサ（図１においては「Ｃｃ」表記）６１が接続されている。
【００２７】
さらに、第４のトランジスタ１４のコレクタと第６のトランジスタ１６のコレクタの相互の接続点には、ＰＮＰ型の補助用第７のトランジスタ（図１においては「ＱＡ７」表記）２７のコレクタと、ＮＰＮ型の補助用第８のトランジスタ（図１においては「ＱＡ８」表記）２８のコレクタが接続されている。
そして、補助用第７のトランジスタ２７は、補助用第５のトランジスタ（図１においては「ＱＡ５」表記）２５とカレントミラーを構成し、補助用第８のトランジスタ２８は、補助用第６のトランジスタ（図１においては「ＱＡ６」表記）２６とカレントミラーを構成するものとなっている。
【００２８】
すなわち、補助用第５のトランジスタ２５と補助用第７のトランジスタ２７は、ベースが相互に接続されると共に、補助用第５のトランジスタ２５のコレクタに接続される一方、補助用第５のトランジスタ２５のエミッタには、高電源電圧Ｖ＋が直接印加されるようになっており、補助用第７のトランジスタ２７のエミッタには、第３の抵抗器（図１においては「ＲＡ３」表記）５３を介して高電源電圧Ｖ＋が印加されるようになっている。
そして、補助用第５のトランジスタ２５のコレクタは、後述する電流供給回路１００Ａの負電流第１出力ノードである負電流第１出力端子（図１においては「−Ｉ−ＯＵＴ１」と表記）７３に接続されたものとなっている。
【００２９】
一方、補助用第６のトランジスタ２６と補助用第８のトランジスタ２８は、ベースが相互に接続されると共に、補助用第６のトランジスタ２６のコレクタに接続される一方、補助用第６のトランジスタ２６のエミッタには、低電源電圧Ｖ−が直接印加されるようになっており、補助用第８のトランジスタ２８のエミッタには、第４の抵抗器（図１においては「ＲＡ４」表記）５４を介して低電源電圧Ｖ−が印加されるようになっている。
そして、補助用第６のトランジスタ２６のコレクタは、後述する電流供給回路１００Ａの正電流第２出力ノードである正電流第２出力端子（図１においては「＋Ｉ−ＯＵＴ２」と表記）７２に接続されたものとなっている。
【００３０】
次に、図２を参照しつつ、電流供給回路１００Ａの具体的構成について説明すれば、電流供給回路１００Ａは、直列接続された供給回路用第１及び第４のトランジスタ（図２においては、それぞれ「ＱＡ１」、「ＱＡ４」と表記）２１，２４と、直列接続された供給回路用第２及び第４３トランジスタ（図２においては、それぞれ「ＱＡ２」、「ＱＡ３」と表記）２２，２３を主たる構成要素として構成されたものとなっている。なお、以下の説明において、必要に応じて、随時図１を参照することとする。
【００３１】
まず、ＮＰＮ型のバイポーラトランジスタである供給回路用第２のトランジスタ２２のコレクタは、負電流第１出力端子７３に、ベースは、電位第２検出ノードである電位第２検出端子（図１、図２においては、「Ｖ−ＤＥＴ２」と表記）７６に、それぞれ接続される一方、エミッタは、ＰＮＰ型のバイポーラトランジスタである供給回路用第３のトランジスタ２３のエミッタに、供給回路用第２の抵抗器（図２においては「ＲＡ２」と表記）５２を介して接続されている。
【００３２】
そして、負電流第１出力端子７３は、先に述べたように補助用第５のトランジスタ２５のコレクタに接続されたものとなっている（図１参照）。また、電位第２検出端子７６は、先の第２のトランジスタ１２のベースと共に、正転入力端子（図１においては「ＩＮ＋」と表記）６５に接続されている（図１参照）。
また、供給回路用第３のトランジスタ２３のコレクタは、正電流第１出力ノードである正電流第１出力端子（図１、図２においては「＋Ｉ−ＯＵＴ１」と表記）７１に接続されており、この正電流第１出力端子７１は、低電源電圧Ｖ−が印加されるようになっている（図１参照）。
【００３３】
一方、ＮＰＮ型のバイポーラトランジスタである供給回路用第１のトランジスタ２１のコレクタは、負電流第２出力ノードである負電流第２出力端子（図１、図２においては「−Ｉ−ＯＵＴ２」と表記）７４に、ベースは、電位第１検出ノードである電位第１検出端子（図１、図２においては「Ｖ−ＤＥＴ１」と表記）７５に、それぞれ接続される一方、エミッタは、ＰＮＰ型のバイポーラトランジスタである供給回路用第４のトランジスタ２４のエミッタに、供給回路用第１の抵抗器（図２においては「ＲＡ１」と表記）５１を介して接続されている。
また、供給回路用第４のトランジスタ２４のコレクタは、正電流第２出力端子（図２においては「＋Ｉ−ＯＵＴ２」と表記）７２に接続されており、この正電流第２出力端子７２は、先に述べたように補助用第６のトランジスタ２６のコレクタが接続されている。
【００３４】
さらに、供給回路用第３のトランジスタ２３のベースと供給回路用第４のトランジスタ２４のベースは、相互に接続されると共に、その接続点と高電源Ｖ＋との間には、高電源Ｖ＋側から順に供給回路用第９のトランジスタ（図２においては「ＱＡ９」と表記）２９と第１のダイオード（図２においては「Ｄ１」と表記）３５が直列接続されて設けられている。
【００３５】
すなわち、供給回路用第９のトランジスタ２９のコレクタには、高電源電圧Ｖ＋が印加されるようになっている一方、エミッタは、第１のダイオード３５のアノードが接続され、その第１のダイオード３５のカソードは、先の供給回路用第３及び第４のトランジスタ２３，２４のベースに接続されている。
そして、供給回路用第９のトランジスタ２９のベースは、電位第３検出ノードである電位第３検出端子（図１、図２においては「Ｖ−ＤＥＴ３」と表記）７７に接続されており、この電位第３検出端子７７は、先の第１及び第２のトランジスタ１１，１２のエミッタに接続されている。
【００３６】
一方、供給回路用第３及び第４のトランジスタ２３，２４の相互に接続されたベースと低電源電圧Ｖ−との間には、第４の定電流源（図２においては「ＣＳ４」と表記）３４が接続されて設けられている。
【００３７】
かかる構成における本発明の実施の形態の演算増幅器は、例えば、特開２００８−２１１６５４号公報に開示された回路が、それより以前の従来回路に対して追加した素子数に比して、１素子少なく、その分、回路の小規模化が図れ、しかも、定電流源が１素子少ないため、低消費電力化が図られたものとなっている。
次に、上述した演算増幅器３０Ａを用いて、図３に示されたようにボルテージホロアを構成した場合における動作について、図４及び図５の特性線図を参照しつつ説明する。
【００３８】
最初に、ボルテージホロアの構成について、図３を参照しつつ説明する。
ボルテージホロアは、従来から良く知られているように、演算増幅器３０Ａの反転入力端子（図示せず）と出力端子６７を相互に接続し、正転入力端子６５に信号を入力するようにしたものである。
かかる構成のボルテージホロアの正転入力端子６５に、論理値Ｈｉｇｈに相当する電圧レベルがＶＨ、論理値Ｌｏｗに相当する電圧レベルがＶＬのパルス信号を印加した場合（図３参照）の動作について、図４及び図５を参照しつつ、以下に説明する。
【００３９】
ここで、図４は、上述のようにパルス信号を入力した場合の出力電圧ＶＯＵＴの変化特性を、従来回路の同様の特性と共に示した特性線図であり、横軸はパルス信号入力後の経過時間を、縦軸は出力電圧を、それぞれ表している。
図４において、実線の特性線は、本発明の実施の形態における演算増幅器３０Ａの出力電圧の変化特性を、太線の点線による特性線は、従来回路の出力電圧の変化特性を、それぞれ示しており、また、細線の点線による特性線は、入力パルス信号の変化を示している。
【００４０】
また、図５は、上述のようにパルス信号を入力した場合のスルーレートの時間変化を、従来の演算増幅器の同様な特性と共に示す特性線図であり、横軸はパルス信号入力後の経過時間を、縦軸はスルーレートを、それぞれ表しており、左縦軸は、本発明の実施の形態における第１乃至第３の構成例（実施例１〜３）、第７乃至第１０の構成例（実施例７〜１０）におけるスルーレートを、右縦軸は、本発明の実施の形態における第４乃至第６の構成例（実施例４〜６）におけるスルーレートを、それぞれ表している。
【００４１】
まず、パルス信号の入力が無く、正転入力端子６５が論理値Ｌｏｗに相当する電圧ＶＬのレベルにある時刻０から時刻ｔ１の間は、正転入力端子６５、反転入力端子６６共に、同電位ＶＬの状態にある。
この場合、供給回路用第９のトランジスタ２９のベース電位は、第１及び第２のトランジスタ１１，１２のエミッタ電位であり、その大きさは、（ＶＬ＋０．６）Ｖである。ここで、０．６Ｖは、第１及び第２のトランジスタ１１，１２のベースとエミッタ間の電位差である。供給回路用第９のトランジスタ２９のエミッタ電位は、供給回路用第９のトランジスタ２９のベースとエミッタ間の電位差を、第１及び第２のトランジスタののベースとエミッタ間の電位差と同じ０．６Ｖであるとすると、ＶＬとなる。
【００４２】
また、供給回路用第３及び第４のトランジスタ２３，２４のベース電位は、第１のダイオード３５における電圧降下を０．６Ｖとすると、ＶＬ−０．６Ｖとなる。一方、供給回路用第１及び第２のトランジスタ２１，２２のベース電位は、ＶＬである。
したがって、供給回路用第１のトランジスタ２１と供給回路用第４のトランジスタ２４のベース電位差と、供給回路用第２のトランジスタ２２と供給回路用第３のトランジスタ２３のベース電位差は、共にＶＬ−（ＶＬ−０．６）＝０．６Ｖである。また、供給回路用第１乃至第４のトランジスタ２１〜２４にコレクタ電流ＩC1が流れるオン状態にするには、供給回路用第１のトランジスタ２１と供給回路用第４のトランジスタ２４の場合、双方のベース電位差が（１．２Ｖ＋ＩC1×ＲＡ１）以上となることが必要である。なお、ここで、ＲＡ１は、供給回路用第１の抵抗器５１の抵抗値であるとする。
【００４３】
また、上述の１．２Ｖの値は、供給回路用第１のトランジスタ２１がオン状態となった際のベース・エミッタ間電位差０．６Ｖと、供給回路用第４のトランジスタ２４がオン状態となった際のベース・エミッタ間電位差０．６Ｖの合計である。
一方、供給回路用第２及び第３のトランジスタ２２，２３にコレクタ電流Ｉｃ２が流れるオン状態とする場合でも、同様に、供給回路用第２及び第３のトランジスタ２２，２３のベース電位差が（１．２Ｖ＋ＩC2×ＲＡ２）以上となることが必要である。なお、ここで、ＲＡ２は、供給回路用第２の抵抗器５２の抵抗値であるとする。
結局、時刻ｔ０〜ｔ１の間においては、上述のベース電位差は、０．６Ｖであるので、供給回路用第１乃至第４のトランジスタ２１〜２４はオン状態とならず、コレクタ電流ＩC1、ＩC2は流れない。
【００４４】
次に、時刻ｔ１において、パルス信号が論理値Ｈｉｇｈに相当する電圧ＶＨへ任意の速度で立ち上がり始め、時刻ｔ２において、正転入力端子６５と反転入力端子６６の入力端子間電位差Ｖdifが約０．６Ｖに達するまでの状態を説明する。
まず、この約０．６Ｖの値は、下記する式３によりＶdifを算出した結果である。
【００４５】
Ｖdif＝ＶBEQ1−ＶBEQA9−ＶD1＋ＶBEQA3＋ＩC2×ＲＡ２＋ＶBEQA2＝０．６Ｖ−０．６Ｖ−０．６Ｖ＋０．６Ｖ＋ＩC2×ＲＡ２＋０．６Ｖ＝ＩC2×ＲＡ２＋０．６Ｖ＝約０．６Ｖ・・・式３
【００４６】
ここで、ＶBEQ1、ＶBEQA9、ＶBEQA3は、それぞれ第１のトランジスタ１１、供給回路用第９のトランジスタ２９、供給回路用第３のトランジスタ２３、供給回路用第２のトランジスタ２２のベース・エミッタ間電位差であり、０．６Ｖであるとした。また、ＶD1は、第１のダイオード３５における電圧降下であり、同じく０．６Ｖであるとした。電流ＩC2は、供給回路用第２及び第３のトランジスタ２２，２３がオン状態となった場合に流れるコレクタ電流である。ＲＡ２は、供給回路用第２の抵抗器５２の抵抗値である。
なお、上述の式３は、供給回路用第２及び第３のトランジスタ２２，２３がオン状態になり始めた初期は、電流ＩC2は、小さな値であるため、ＩC2×ＲＡ２をほぼゼロと近似してある。
【００４７】
この時刻ｔ１〜ｔ２の間では、入力端子間電位差Ｖdifは、零より大きく、約０．６Ｖ未満である。このときの第１及び第２のトランジスタ１１，１２の差動対では、第１のトランジスタ１１に電流Ｉ３が全て流れることとなる。一方、第２のトランジスタ１２のコレクタ電流は、零となる。このとき第１の定電流源３１の電流は、Ｉ１＝Ｉ２＝Ｉ３であるため、第１のトランジスタ１１を通して流れる電流Ｉ３によって供給される。
【００４８】
したがって、第４のトランジスタ１４のエミッタから第１の定電流源３１に流れる電流は、零であり、第４のトランジスタ１４はオフ状態となっている。一方、第２の定電流源３２の電流は、第２のトランジスタ１２がオフ状態であるため、第３及び第５のトランジスタ１３，１５を通して流れることとなる。なお、この電流の大きさは、Ｉ２である。ここで、第５及び第６のトランジスタ１５，１６は、カレントミラーを構成するため、このＩ２の大きさの電流は、第６のトランジスタ１６のコレクタから流れ出る。
【００４９】
また、この時、先に述べたように、第４のトランジスタ１４がオフ状態であるため、電流Ｉ２はコンデンサ６１に流れ込む。ここで、先に述べたように、Ｉ１＝Ｉ２＝Ｉ３であるので、結果として、コンデンサ６１には、電流Ｉ３が流れ込むこととなる。したがって、この場合のスルーレートは、従来回路と同様であり、先の式１により表される大きさとなる。
【００５０】
次に、時刻ｔ２でＶdifが式３で表される約０．６Ｖ以上となると、供給回路用第２及び第３のトランジスタ２２，２３にコレクタ電流Ｉｃ２が流れ始める。
このコレクタ電流Ｉｃ２が流れることを、各ノードの電位で確認すると、次述するようになる。
まず、第１のトランジスタ１１のベース電位はＶＬなので、供給回路用第９のトランジスタ２９のベース電位は、ＶＬ＋ＶBEQ1＝ＶＬ＋０．６Ｖとなる。また、供給回路用第９のトランジスタ２９のエミッタ電位は、ＶＬ＋０．６−ＶBEQA9＝ＶＬとなる。さらに、供給回路用第３のトランジスタ２３のベース電位は、ＶＬ−ＶD1＝ＶＬ−０．６Ｖとなる。
【００５１】
一方、正転入力端子６５の電位ＶＩＮは、ＶＬ＋約０．６Ｖなので、供給回路用第２のトランジスタ２２のベース電位は、ＶＬ＋約０．６Ｖである。
したがって、供給回路用第２及び第３のトランジスタ２２，２３のベース電位差は、ＶＬ＋約０．６−（ＶＬ−約０．６）＝約１．２（Ｖ）となる。
ここで、時刻ｔ０〜ｔ１においては、先に述べたように、供給回路用第２及び第３のトランジスタ２２，２３に、コレクタ電流ＩC2を流すためには、供給回路用第２及び第３のトランジスタ２２，２３のベース電位差として、ＶBEQA2＋ＶBEQA3＋ＩC2×ＲＡ２＝約１．２（Ｖ）必要であった。
【００５２】
このタイミングにおいては、供給回路用第２及び第３のトランジスタ２２，２３のベース電位差は、約１．２（Ｖ）なので、供給回路用第２及び第３のトランジスタ２２，２３に、コレクタ電流ＩC2が流れる。このコレクタ電流ＩC2は、補助用第５のトランジスタ２５のコレクタに流れ、補助用第５のトランジスタ２５、補助用第７のトランジスタ２７、第３の抵抗器３５により形成されるカレントミラーにより、コンデンサ６１に流れ込むこととなる。このときコンデンサ６１に流れ込む電流の大きさをＩａとすると、スルーレートは、先に示した式２で表される大きさとなる。
この式２のスルーレートは、先に示した式１のスルーレートと比較して、Ｉａ／Ｃｃ分だけ大きくなることが確認でき、その様子は、図５において時刻ｔ２に示された如くである。
【００５３】
次に、時刻ｔ３で入力端子間電位差Ｖdifが約０．６Ｖ未満となった場合に、コレクタ電流Ｉｃ２が流れなくなるため、コンデンサ６１への電流Ｉａの追加供給が停止し、スルーレートは、従来回路と同じ、式１により表される値となり、このときの回路の状態は、時刻ｔ１〜ｔ２と同様である。
その後、時刻ｔ４で正転入力端子６５の電位ＶＩＮ＋と出力電圧ＶＯＵＴは、同電位のＶＨとなる。一方、図１０に示された従来回路にあっては、スルーレートが増加しないため、本発明の実施例より遅れて時刻ｔ５で正転入力端子電位ＶＩＮ＋と出力電圧ＶＯＵＴは、同電位のＶＨとなる（図４参照）。
【００５４】
次に、時刻ｔ６において、高電圧ＶＨが入力されていた正転入力端子６５に、低電位ＶＬのパルス信号がされた際の動作を説明する。
最初に、時刻ｔ６で、正転入力端子６５に電圧ＶＬが任意のパルス立ち上がり速度で印加され、時刻ｔ７で、入力端子間電位差Ｖdifが約０．６Ｖに達するまでの状態を説明する。
ここで、約０．６Ｖの値は、入力端子間電位差Ｖdifを、正転入力端子６５が接続された第２のトランジスタ１２と供給回路用第９のトランジスタ２９、ダイオード３５、供給回路用第４のトランジスタ２４、供給回路用第１の抵抗器５１と、反転入力端子６６が接続された供給回路用第１のトランジスタ２１の電位を用いて下記する式４により求められるものである。
【００５５】
Ｖdif＝ＶBEQ2−ＶBEQA9−ＶD1＋ＶBEQA4＋ＩC1×ＲＡ１＋ＶBEQA1＝０．６Ｖ−０．６Ｖ−０．６Ｖ＋０．６Ｖ＋ＩC1×ＲＡ１＋０．６Ｖ＝ＩC1×ＲＡ１＋０．６Ｖ＝約０．６Ｖ・・・式４
【００５６】
ここで、ＶBEQ2、ＶBEQA9、ＶBEQA4、ＶBEQA1は、それぞれ第２のトランジスタ１２、供給回路用第９のトランジスタ２９、供給回路用第４のトランジスタ２４、供給回路用第１のトランジスタ２１のベース・エミッタ間電位差であり、０．６Ｖであるとした。また、ＶD1は、第１のダイオード３５における電圧降下であり、同じく０．６Ｖであるとした。電流ＩC1は、供給回路用第１及び第４のトランジスタ２１，２４がオン状態となった場合に流れるコレクタ電流である。ＲＡ１は、供給回路用第１の抵抗器５１の抵抗値である。
なお、供給回路用第１及び第４のトランジスタ２１，２４がオン状態になり始めた初期は、コレクタ電流ＩC1は、小さな値であるため、ＩC1×ＲＡ１をほぼゼロと近似してある。
【００５７】
この時刻ｔ６〜時刻ｔ７の間では、入力端子間電位差Ｖdifは、零より大きく、約０．６Ｖ未満である。このときの第１及び第２のトランジスタ１１，１２の差動対では、第２のトランジスタ１２に電流Ｉ３が全て流れる。
一方、第１のトランジスタ１１のコレクタ電流は、零となる。このとき第２の定電流源３２の電流は、Ｉ１＝Ｉ２＝Ｉ３であるため、第２のトランジスタ１２を通して流れる電流Ｉ３によって供給されることとなる。
【００５８】
したがって、第３のトランジスタ１３のエミッタから第２の定電流源３２に流れる電流は零であり、第３及び第５のトランジスタ１３，１５は、オフ状態となっている。
一方、第１の定電流源３１の電流は、第１のトランジスタ１１がオフ状態であるため、第４のトランジスタ１４を通して流れることとなり、その電流の大きさは、Ｉ１である。
【００５９】
ここで、第５及び第６のトランジスタ１５，１６は、カレントミラーを構成しており、第５のトランジスタ１５は、オフ状態であるため、第６のトランジスタ１６から電流Ｉ１は供給されず、電流Ｉ１は、コンデンサ６１に流れ出すこととなる。ここで、第１乃至第３の定電流源３１〜３３は、先に述べたように、Ｉ１＝Ｉ２＝Ｉ３であるので、結果として、コンデンサ６１には、電流Ｉ３が流れ込むこととなる。したがって、このときのスルーレートは、従来と同一であり、式１で表される大きさとなる。
【００６０】
次に、時刻ｔ７で入力端子間電位差Ｖdifが、先の式４で表される約０．６Ｖ以上になると、供給回路用第１及び第４のトランジスタ２１，２４にコレクタ電流ＩC1が流れ始める。コレクタ電流ＩC1が流れることを、各ノードの電位で確認すると、次述するようになる。
まず、第２のトランジスタ１２のベース電位は、ＶＨ−約０．６Ｖなので、供給回路用第９のトランジスタ２９のベース電位は、ＶＨ−約０．６Ｖ＋ＶBEQ2＝ＶＨ＋約０．０Ｖとなる。
【００６１】
次に、供給回路用第９のトランジスタ２９のエミッタ電位は、ＶＨ＋約０．０Ｖ−ＶBEQA9＝ＶＨ−約０．６Ｖとなる。供給回路用第４のトランジスタ２４のベース電位は、ＶＨ−約０．６Ｖ−ＶD1＝ＶＨ−約１．２Ｖとなる。
一方、反転入力端子電位ＶＩＮ−は、ＶＨなので、供給回路用第１のトランジスタ２１のベース電位は、ＶＨである。したがって、供給回路用第１及び第４のトランジスタ２１，２４のベース電位差は、ＶＨ−（ＶＨ−約１．２Ｖ）＝約１．２Ｖとなる。ここで、供給回路用第１及び第４のトランジスタに２１，２４にコレクタ電流ＩC1を流すためには、供給回路用第１及び第４のトランジスタ２１，２４のベース電位差が、ＶBEQA1＋ＶBEQA4＋ＩC1×ＲＡ１＝約１．２Ｖであることが必要であった。
【００６２】
この時点において、供給回路用第１及び第４のトランジスタ２１，２４のベース電位差は、約１．２Ｖなので、供給回路用第１及び第４のトランジスタ２１，２４には、コレクタ電流ＩC1が流れることとなる。コレクタ電流ＩC1は、補助用第６のトランジスタ２６のコレクタに流れ、補助用第６及び第８のトランジスタ２６，２８、及び第４の抵抗器５４により構成されるカレントミラーにより、コンデンサ６１から電流を吸い出すこととなる。
このとき、ミラーされ、コンデンサ６１から吸い出される電流の大きさをＩａとすると、スルーレートは、式２で表される大きさとなる。
【００６３】
この式２のスルーレートは、先に示した式１のスルーレートと比較して、Ｉａ／Ｃｃ分だけ大きくなることが確認でき、その様子は、図５において時刻ｔ７に示された如くである。
次に、時刻ｔ８で入力端子間電位差Ｖdifが、約０．６Ｖ未満になった場合、コレクタ電流ＩC1が流れなくなるため、コンデンサ６１に追加で吸い出されていた電流Ｉａが停止し、スルーレートは、従来回路と同様、式１で表される値に戻ることとなる。このときの回路の状態は、先に説明した時刻ｔ６〜ｔ７と同様となる（図５参照）。
【００６４】
その後、時刻ｔ９で正転入力端子電位ＶＩＮ＋と出力電圧ＶＯＵは、同電位のＶＬとなる（図４参照）。一方、従来回路（図１０参照）にあっては、スルーレートが増加しないため、本発明の実施の形態における演算増幅器よりも遅れて時刻ｔ１０で正転入力端子電位ＶＩＮ＋と出力電圧ＶＯＵＴは、同電位のＶＬとなる（図４参照）。
ここで、入力端子間電位差Ｖdifが約０．６Ｖ未満の状態では、コレクタ電流ＩC1又はＩC2は流れず、電流Ｉａがコンデンサ６１に追加供給されないため、従来回路と同じ演算増幅器の安定性を保つことができる。また、入力端子間電位差Ｖdifが、約０．６Ｖ未満の状態では、コレクタ電流ＩC1、ＩC2が流れないので、追加回路（電流供給回路１００Ａ）による入力換算雑音電圧の増加が無い。
【００６５】
なお、上述の実施例において、演算増幅器を構成するトランジスタは、ＰＮＰ型とＮＰＮ型を逆に代えても良いものである。その場合、第１、第２、及び第４の定電流源３１、３２、３４、コンデンサ６１は、高電源電圧Ｖ＋が、第３の定電流源３３は、低電源電圧Ｖ−が、それぞれ印加されるような接続とする。また、バイポーラトランジスタに代えて、電界効果トランジスタを用いても好適である。
【００６６】
次に、図１及び図６を参照しつつ、第２の構成例における電流供給回路１００Ｂの具体的構成について説明する。
なお、図２に示された構成例と同一の構成要素については、同一の符号を付して、その詳細な説明を省略し、以下、異なる点を中心に説明することとする。
この電流供給回路１００Ｂは、先の図２に示された電流供給回路１００Ａの構成において、ダイオード３５と第４の定電流源３４との間に、供給回路用第９の抵抗器５９を付加した構成となっているものである。
【００６７】
すなわち、ダイオード３５のカソードと、第４の定電流源３４との間には、供給回路用第９の抵抗器５９が直列接続されて設けられている。
かかる構成において、供給回路用第９の抵抗器５９における電圧降下は、０．６Ｖより低い値となるように、供給回路用第９の抵抗器５９の抵抗値を設定する。
【００６８】
かかる構成にあっては、約０．６Ｖより低い入力端子間電位差Ｖdifでスルーレートを増大できるという特徴を有するものとなっている。
上述した電流供給回路１００Ｂを有する演算増幅器３０Ａを用いて、図３に示されたようにボルテージホロアを構成した場合における動作について、図４及び図５の特性線図を参照しつつ説明する。
まず、時刻ｔ０〜ｔ１では、入力電位ＶＩＮ＋とＶＩＮ−は、同電位ＶＬである。このとき、供給回路用第９のトランジスタ２９のベース電位は、第１及び第２のトランジスタ１１，１２のエミッタ電位であり、ＶＬ＋０．６Ｖである。
【００６９】
ここで、この０．６Ｖの値は、第１及び第２のトランジスタ１１，１２のベースとエミッタ間の電位差である。供給回路用第９のトランジスタ２９のエミッタ電位は、供給回路用第９のトランジスタ２９のベースとエミッタ間の電位差を、第１及び第２のトランジスタ１１，１２のベースとエミッタ間の電位差と同じ０．６Ｖとすると、ＶＬとなる。
【００７０】
また、供給回路用第３及び第４のトランジスタ２３，２４のベース電位は、供給回路用第９のトランジスタ２９のエミッタ電位よりダイオード３５の電圧降下分とＩ４×ＲＡ９分だけ低い。ここで、Ｉ４は、第４の定電流源３４の電流であり、ＲＡ９は、供給回路用第９の抵抗器５９の抵抗値であるとする。
したがって、供給回路用第３及び第４のトランジスタ２３，２４のベース電位は、ダイオード３５での電圧降下を０．６Ｖとすると、（ＶＬ−０．６Ｖ−Ｉ４×ＲＡ９）となる。
【００７１】
一方、供給回路用第１及び第２のトランジスタ２１，２４のベース電位は、ＶＬである。よって、供給回路用第１及び第４のトランジスタ２１，２４のベース電位差、及び、供給回路用第２及び第３のトランジスタ２２，２３のベース電位差は、共に、ＶＬ−（ＶＬ−０６Ｖ−Ｉ４×ＲＡ９）＝０．６Ｖ＋Ｉ４×ＲＡ９である。ここで、供給回路用第９の抵抗器５９における電圧降下であるＩ４×ＲＡ９は、０．６Ｖより低い値が設定されているため、供給回路用第１及び第４のトランジスタ２１，２４のベース電位差、及び、供給回路用第２及び第３のトランジスタ２３，２４のベース電位差は、１．２Ｖ未満である。
【００７２】
また、供給回路用第１及び第２のトランジスタ２１，２２にコレクタ電流ＩC1が、供給回路用第３及び第４のトランジスタ２３，２４にコレクタ電流ＩC2が、それぞれ流れるオン状態とするには、供給回路用第１及び第４のトランジスタ２１，２４の場合、双方のベース電位差が、１．２Ｖ＋ＩC1×ＲＡ１以上であることが必要である。なお、ＲＡ１は、供給回路用第１の抵抗器５１の抵抗値とする。
ここで、上述の１．２Ｖの値は、供給回路用第１のトランジスタ２１がオン状態となったときのベース・エミッタ間電位差０．６Ｖと、供給回路用第４のトランジスタ２４がオン状態となったときのベース・エミッタ間電位差０．６Ｖの合計である。
【００７３】
一方、供給回路用第２のトランジスタ２２と供給回路用第３のトランジスタ２３にコレクタ電流ＩC2が流れるオン状態にする場合であっても、供給回路用第２のトランジスタ２２と供給回路用第３のトランジスタ２３のベース電位差が、（１．２Ｖ＋ＩC2×ＲＡ２）以上必要となる。
時刻ｔ０〜ｔ１の間においては、このベース電位差が１．２Ｖ未満であるので、供給回路用第１及び第２のトランジスタ２１，２２と、供給回路用第３及び第４のトランジスタ２３，２４は、オン状態とならず、コレクタ電流ＩC1、ＩC2は、流れない。
【００７４】
次に、時刻ｔ１において、正転入力端子６５に電位ＶＨが任意のパルス立ち上がり速度で印加され、時刻ｔ２で正転入力端子６５と反転入力端子６６の入力端子間電位差Ｖdifが約０．６Ｖ−Ｉ４×ＲＡ９に達するまでの状態について説明する。
まず、上述の約０．６Ｖ−Ｉ４×ＲＡ９という値は、入力端子間電位差Ｖdifを反転入力端子６６が接続された第１のトランジスタ１１と供給回路用第９のトランジスタ２９、ダイオード３５、供給回路用第９の抵抗器５９、供給回路用第３のトランジスタ２３、供給回路用第２の抵抗器５２と、正転入力端子６５に接続された供給回路用第２のトランジスタ２２の電位を用いて、下記する式５により得られる値である。
【００７５】
Ｖdif＝ＶBEQ1−ＶBEQA9−ＶD1−Ｉ４×ＲＡ９＋ＶBEQA3＋ＩC2×ＲＡ２＋ＶBEQA2＝０．６Ｖ−０．６Ｖ−０．６Ｖ−Ｉ４×ＲＡ９＋０．６Ｖ＋ＩC2×ＲＡ２＋０．６Ｖ＝−Ｉ４×ＲＡ９＋ＩC2×ＲＡ２＋０．６Ｖ＝約０．６Ｖ−Ｉ４×ＲＡ９・・・式５
【００７６】
ここで、ＶBEQ1、ＶBEQA9、ＶBEQA3、ＶBEQA2は、それぞれ第１のトランジスタ１１、供給回路用第９のトランジスタ２９、供給回路用第３のトランジスタ２３、供給回路用第２のトランジスタ２２のベース・エミッタ間電位差であり、０．６Ｖとしてある。また、ＶD1は、ダイオード３５における電圧降下であり、０．６Ｖとしてある。さらに、電流ＩC2は、供給回路用第２のトランジスタ２２及び供給回路用第３のトランジスタ２３がオン状態になった場合に流れるコレクタ電流である。
なお、上記式５は、供給回路用第２及び第３のトランジスタ２２，２３がオン状態になり始めた初期は、電流ＩC2は、小さい値であるため、ＩC2×ＲＡ２をほぼゼロと近似してある。
【００７７】
この時刻ｔ１〜ｔ２の間では、入力端子間電位差Ｖdifは、零より大きく、約０．６Ｖ未満である。このときの状態は、先に説明した第１の構成例における時刻ｔ１〜ｔ２の状態と同様であり、第１、第２及び第３の定電流源３１、３２、３３については、先に説明したようにＩ１＝Ｉ２＝Ｉ３であるので、結果として、コンデンサ６１には、電流Ｉ３が流れ込むこととなる。したがって、このときのスルーレートは、従来回路（図１０参照）と同様であり、式１で表される大きさとなる。
【００７８】
次に、時刻ｔ２で入力端子間電位差Ｖdifが先の式５で表される約０．６Ｖ−Ｉ４×ＲＡ９以上になると、供給回路用第２のトランジスタ２２と供給回路用第３のトランジスタ２３にコレクタ電流ＩC2が流れ始める。
このコレクタ電流Ｉｃ２が流れることを、各ノードの電位で確認すると、次述するようになる。
まず、第１のトランジスタ１１のベース電位はＶＬなので、供給回路用第９のトランジスタ２９のベース電位は、ＶＬ＋ＶBEQ1＝ＶＬ＋０．６Ｖとなる。また、供給回路用第９のトランジスタ２９のエミッタ電位は、ＶＬ＋０．６−ＶBEQA9＝ＶＬとなる。さらに、供給回路用第３のトランジスタ２３のベース電位は、ＶＬ−ＶD1−Ｉ４×ＲＡ９＝ＶＬ−０．６Ｖ−Ｉ４×ＲＡ９となる。
【００７９】
一方、正転入力端子電位ＶＩＮ＋は、ＶＬ＋約０．６Ｖ−Ｉ４×ＲＡ９なので、供給回路用第２のトランジスタ２３のベース電位は、ＶＬ＋約０．６Ｖ−Ｉ４×ＲＡ９である。したがって、供給回路用第２及び第３のトランジスタ２３，２４ののベース電位差は、ＶＬ＋約０．６Ｖ−Ｉ４×ＲＡ９−（ＶＬ−０．６Ｖ−Ｉ４×ＲＡ９）＝約１．２Ｖとなる。
ここで、供給回路用第２及び第３のトランジスタ２２，２３にコレクタ電流ＩC2を流すためには、供給回路用第２及び第３のトランジスタ２２，２３のベース電位差として、ＶBEQA2＋ＶBEQA3＋ＩC2×ＲＡ２＝約１．２（Ｖ）必要であった。
【００８０】
このタイミングにおいては、供給回路用第２及び第３のトランジスタ２２，２３のベース電位差は、約１．２（Ｖ）なので、供給回路用第２及び第３のトランジスタ２２，２３に、コレクタ電流ＩC2が流れる。このコレクタ電流ＩC2は、補助用第５のトランジスタ２５のコレクタに流れ、補助用第５のトランジスタ２５、補助用第７のトランジスタ２７、第３の抵抗器３５により形成されるカレントミラーにより、コンデンサ６１に流れ込むこととなる。このときコンデンサ６１に流れ込む電流の大きさをＩａとすると、スルーレートは、先に示した式２で表される大きさとなる。この式２のスルーレートは、先に示した式１のスルーレートと比較して、Ｉａ／Ｃｃ分だけ大きくなることが確認でき、その様子は、図５において時刻ｔ２に示された如くである。
【００８１】
次に、時刻ｔ３で入力端子間電位差Ｖdifが約０．６Ｖ−Ｉ４×ＲＡ９未満となった場合に、コレクタ電流Ｉｃ２が流れなくなるため、コンデンサ６１への電流Ｉａの追加供給が停止し、スルーレートは、従来回路と同じ、式１により表される値となり、このときの回路の状態は、時刻ｔ１〜ｔ２と同様である。
その後、時刻ｔ４で正転入力端子６５の電位ＶＩＮ＋と出力電圧ＶＯＵＴは、同電位のＶＨとなる。一方、図１０に示された従来回路にあっては、スルーレートが増加しないため、本発明の実施例より遅れて時刻ｔ５で正転入力端子電位ＶＩＮ＋と出力電圧ＶＯＵＴは、同電位のＶＨとなる（図４参照）。
【００８２】
次に、時刻ｔ６において、高電圧ＶＨが入力されていた正転入力端子６５に、低電位ＶＬのパルス信号がされた際の動作を説明する。
最初に、時刻ｔ６で、正転入力端子６５に電圧ＶＬが任意のパルス立ち上がり速度で印加され、時刻ｔ７で、入力端子間電位差Ｖdifが約０．６Ｖ−Ｉ４×ＲＡ９に達するまでの状態を説明する。
ここで、約０．６Ｖ−Ｉ４×ＲＡ９の値は、入力端子間電位差Ｖdifを、正転入力端子６５が接続された第２のトランジスタ１２と、供給回路用第９のトランジスタ２９、ダイオード３５、供給回路用第４のトランジスタ２４、供給回路第１の抵抗器５１、及び、供給回路用第９の抵抗器５９と、反転入力端子６６が接続された供給回路用第１のトランジスタ２１の電位を用いて下記する式６により求められるものである。
【００８３】
Ｖdif＝ＶBEQ2−ＶBEQA9−ＶD1−Ｉ４×ＲＡ９＋ＶBEQA4＋ＩC1×ＲＡ１＋ＶBEQA1＝０．６Ｖ−０．６Ｖ−０．６Ｖ＋０．６Ｖ＋ＩC1×ＲＡ１＋０．６Ｖ＝ＩC1×ＲＡ１＋０．６Ｖ−Ｉ４×ＲＡ９＝約０．６Ｖ−Ｉ４×ＲＡ９・・・式６
【００８４】
ここで、ＶBEQ2、ＶBEQA9、ＶBEQA4、ＶBEQA1は、それぞれ第２のトランジスタ１２、供給回路用第９のトランジスタ２９、供給回路用第４のトランジスタ２４、供給回路用第１のトランジスタ２１のベース・エミッタ間電位差であり、０．６Ｖであるとした。また、ＶD1は、第１のダイオード３５における電圧降下であり、同じく０．６Ｖであるとした。電流ＩC1は、供給回路用第１及び第４のトランジスタ２１，２４がオン状態となった場合に流れるコレクタ電流である。なお、供給回路用第１及び第４のトランジスタ２１，２４がオン状態になり始めた初期は、コレクタ電流ＩC1は、小さな値であるため、ＩC1×ＲＡ１をほぼゼロと近似してある。
【００８５】
この時刻ｔ６〜時刻ｔ７の間では、入力端子間電位差Ｖdifは、零より大きく、約０．６Ｖ−Ｉ４×ＲＡ９未満である。このときの状態は、先の第１の構成例における時刻ｔ６〜ｔ７の状態と同様であり、第１乃至第３の定電流源３１〜３３については、先に述べたようにＩ１＝Ｉ２＝Ｉ３であるので、結果として、コンデンサ６１には電流Ｉ３が流れ込むこととなる。したがって、このときのスルーレートは、従来回路と同一であり、先の式１で表される大きさとなる。
【００８６】
次に、時刻ｔ７で入力端子間電位差Ｖdifが、先の式６で表される約０．６Ｖ−Ｉ４×ＲＡ９以上になると、供給回路用第１及び第４のトランジスタ２１，２４にコレクタ電流ＩC1が流れ始める。コレクタ電流Ｉｃ１が流れることを、各ノードの電位で確認すると、次述するようになる。
まず、第２のトランジスタ１２のベース電位は、ＶＨ−（約０．６Ｖ−Ｉ４×ＲＡ９）なので、供給回路用第９のトランジスタ２９のベース電位は、ＶＨ−（約０．６Ｖ−Ｉ４×ＲＡ９）＋ＶBEQ2＝ＶＨ＋約０．０Ｖ＋Ｉ４×ＲＡ９となる。
【００８７】
次に、供給回路用第９のトランジスタ２９のエミッタ電位は、ＶＨ＋約０．０Ｖ＋Ｉ４×ＲＡ９−ＶBEQA9＝ＶＨ−約０．６Ｖ＋Ｉ４×ＲＡ９となる。供給回路用第４のトランジスタ２４のベース電位は、ＶＨ−約０．６Ｖ＋Ｉ４×ＲＡ９−ＶD1−Ｉ４×ＲＡ９＝ＶＨ−約１．２Ｖとなる。
一方、反転入力端子電位ＶＩＮ−は、ＶＨなので、供給回路用第１のトランジスタ２１のベース電位は、ＶＨである。したがって、供給回路用第１及び第４のトランジスタ２１，２４のベース電位差は、ＶＨ−（ＶＨ−約１．２Ｖ）＝約１．２Ｖとなる。ここで、供給回路用第１及び第４のトランジスタに２１，２４にコレクタ電流Ｉｃ１を流すためには、供給回路用第１及び第４のトランジスタ２１，２４のベース電位差が、ＶBEQA1＋ＶBEQA4＋ＩC1×ＲＡ１＝約１．２Ｖであることが必要であった。
【００８８】
この時点において、供給回路用第１及び第４のトランジスタ２１，２４のベース電位差は、約１．２Ｖなので、供給回路用第１及び第４のトランジスタ２１，２４には、コレクタ電流ＩC1が流れることとなる。コレクタ電流ＩC1は、補助用第６のトランジスタ２６のコレクタに流れ、補助用第６及び第８のトランジスタ２６，２８、及び第４の抵抗器５４により構成されるカレントミラーにより、コンデンサ６１から電流を吸い出すこととなる。
このとき、ミラーされ、コンデンサ６１から吸い出される電流の大きさをＩａとすると、スルーレートは、式２で表される大きさとなる。この式２のスルーレートは、先に示した式１のスルーレートと比較して、Ｉａ／Ｃｃ分だけ大きくなることが確認でき、その様子は、図５において時刻ｔ７に示された如くである。
【００８９】
次に、時刻ｔ８で入力端子間電位差Ｖdifが、約０．６Ｖ−Ｉ４×ＲＡ９未満になった場合、コレクタ電流ＩC1が流れなくなるため、コンデンサ６１に追加で吸い出されていた電流Ｉａが停止し、スルーレートは、従来回路と同様、式１で表される値に戻ることとなる。このときの回路の状態は、先に説明した時刻ｔ６〜ｔ７と同様となる（図５参照）。
その後、時刻ｔ９で正転入力端子電位ＶＩＮ＋と出力電圧ＶＯＵは、同電位のＶＬとなる（図４参照）。一方、従来回路（図１０参照）にあっては、スルーレートが増加しないため、本発明の実施の形態における演算増幅器よりも遅れて時刻ｔ１０で正転入力端子電位ＶＩＮ＋と出力電圧ＶＯＵＴは、同電位のＶＬとなる（図４参照）。
【００９０】
ここで、入力端子間電位差Ｖdifが約０．６Ｖ−Ｉ４×ＲＡ９未満の状態では、コレクタ電流ＩC1又はＩC2は流れず、電流Ｉａがコンデンサ６１に追加供給されないため、従来回路と同じ演算増幅器の安定性を保つことができる。また、入力端子間電位差Ｖdifが、約０．６Ｖ−Ｉ４×ＲＡ９未満の状態では、コレクタ電流ＩC1、ＩC2が流れないので、追加回路（電流供給回路１００Ｂ）による入力換算雑音電圧の増加が無い。
【００９１】
なお、上述の第２の構成例における演算増幅器を構成するトランジスタは、ＰＮＰ型とＮＰＮ型を逆に代えても良いものである。その場合、第１及び第２の定電流源３１、３４、コンデンサ６１は、高電源電圧Ｖ＋が、第３の定電流源３３は、低電源電圧Ｖ−が、それぞれ印加されるような接続とする。また、バイポーラトランジスタに代えて、電界効果トランジスタを用いても好適である。
【００９２】
次に、図１及び図７を参照しつつ、第３の構成例における電流供給回路１００Ｃの具体的構成について説明する。
なお、図２又は図６に示された構成例と同一の構成要素については、同一の符号を付して、その詳細な説明を省略し、以下、異なる点を中心に説明することとする。
この電流供給回路１００Ｃは、先の図２に示された電流供給回路１００Ａの構成において、供給回路用第９のトランジスタ２９のエミッタとダイオード３５のアノードとの間に、供給回路用第９の抵抗器５９が直列に設けられた構成となっているものである。
すなわち、供給回路用第９のトランジスタ２９のエミッタに、供給回路用第９の抵抗器５９の一端が、ダイオード３５のアノードに、供給回路用第９の抵抗器５９の他端が、それぞれ接続されたものとなっている。
【００９３】
かかる構成にあっては、約０．６Ｖより低い入力端子間電位差Ｖdifでスルーレートを増大できるという特徴を有するものとなっている。
なお、この第３の構成例における回路動作は、先に図１及び図６を参照しつつ説明した第２の構成例と基本的に同一であるので、ここでの再度の詳細な説明は省略することとする。
【００９４】
次に、図２及び図８を参照しつつ、第４の構成例について説明する。
なお、図１に示された構成要素と同一の構成要素については、同一の符号を付して、その詳細な説明を省略し、以下、異なる点を中心に説明する。
この第４の構成例は、演算増幅器３０Ｂが、図１に示された演算増幅器３０Ａと異なり、フォールデットカスコード型負荷抵抗を用いない構成としたものである。
【００９５】
以下、具体的な構成について説明すれば、まず、ＰＮＰ型のバイポーラトランジスタである第１及び第２のトランジスタ１１，１２が、相互にエミッタが接続され、その接続点には、第３の定電流源３３が接続されて差動対をなしている点は、図１に示された構成例と同一である。
そして、この第１及び第２のトランジスタ１１，１２のコレクタには、能動負荷として、ＮＰＮ型のバイポーラトランジスタである第３及び第４のトランジスタ１３，１４により構成されたカレントミラーが接続されている。
【００９６】
すなわち、第３及び第４のトランジスタ１３，１４は、ベース同士が接続されると共に、第３のトランジスタ１３のコレクタと接続される一方、第３のトランジスタ１３のコレクタが第１のトランジスタ１１のコレクタに、第４のトランジスタ１４のコレクタが第２のトランジスタ１２のコレクタに、それぞれ接続されている。
そして、第３及び第４のトランジスタ１３，１４のエミッタは、共に低電源電圧Ｖ−が印加されるようになっている。
また、第１及び第３のトランジスタ１１，１３のコレクタと、第３及び第４のトランジスタ１３，１４のベースとの相互の接続点は、電流検出回路１００Ａの正電流第１出力端子７１に接続されている。
【００９７】
上述の第１及び第４のトランジスタ１１〜１４、及び、第３の定電流源３３により構成された差動増幅器は、シングルエンドされて、単相の電圧信号を増幅出力する高入力インピーダンスの電圧増幅器（図８においては「Ｇｍ」と表記）２０の入力段に、第２及び第４のトランジスタ１２，１４のコレクタが接続されたものとなっている。なお、電圧増幅器２０の入力段は、電流供給回路１００Ａの正電流第２出力端子７２にも接続されている。
【００９８】
また、電圧増幅器２０の入力段と出力段には、位相補償用のコンデンサ６１が接続されると共に、出力段は、バッファ１９の入力段に接続されたものとなっている。
電流供給回路１００Ａの構成は、既に説明した正電流第１及び第２出力端子７１，７２の接続と、次述する負電流第１出力端子７３の接続が異なる点を除いて、回路構成自体は、既に説明した通りであるので、ここでの再度の詳細な説明は省略することとする。
なお、負電流第１出力端子７３は、高電源電圧Ｖ＋が直接印加されるようになっている。
【００９９】
次に、かかる構成における演算増幅器３０Ｂを用いて、図３に示されたようにボルテージホロアを構成した場合における動作について、図４及び図５の特性線図を参照しつつ説明する。
供給回路用第１乃至第４のトランジスタ２１〜２４の動作は、先に第１の構成例で説明した通りである。したがって、入力端子間電位差Ｖdifが約０．６Ｖ以上になる時刻ｔ２〜ｔ３の間のみ、供給回路用第２及び第３のトランジスタ２３，２４のコレクタ電流ＩC2が流れ、時刻ｔ７〜ｔ８の間のみ、供給回路用第１及び第４のトランジスタ２１，２４のコレクタ電流ＩC1が流れることで、スルーレートが増加することとなる（図５参照）。
【０１００】
時刻ｔ２〜ｔ３、及び、時刻ｔ３〜ｔ４において、入力端子間電位差Ｖdifが約０．６Ｖ未満で、低電圧ＶＬが入力されていた正転入力端子６５に高電圧ＶＨのパルスが入力された場合の動作についてより具体的に説明する。
このとき、１及び第２のトランジスタ１１，１２の差動対には、第１のトランジスタ１１の電流Ｉ３が全て流れる。
一方、第２のトランジスタ１２はオフ状態となる。電流Ｉ３は、第３及び第４のトランジスタ１３，１４によって構成されたカレントミラーによってミラーされ、第４のトランジスタ１４のコレクタ電流の大きさはＩ３となる。
【０１０１】
ここで、第２のトランジスタ１２は、オフ状態であるため、第２のトランジスタ１２のコレクタ電流は零である。また、電圧増幅器２０は、高入力インピーダンスであるため、第４のトランジスタ１４のコレクタ電流は、コンデンサ６１からの引き込み電流となり、コンデンサ６１を充電させ、電圧増幅器２０の出力端のＰ点（図８参照）の電圧を上昇させる。
電圧増幅器２０の後段は、バッファ１９であるので、出力電圧ＯＵＴもＰ点の電位に追従して上昇することとなり、このときのスルーレートは、式１で表される大きさとなる。
【０１０２】
次に、時刻ｔ２〜ｔ３において、入力端子間電位差Ｖdifが約０．６Ｖ以上となったときの状態を説明する。
かかる期間における電流供給回路１００Ａの動作は、先の第１の構成例で説明した時刻ｔ２〜ｔ３における動作と同様であり、供給回路用第２及び第３のトランジスタ２２，２３にコレクタ電流ＩC2が流れる。かかるコレクタ電流ＩC2は、第３のトランジスタ１３のコレクタに供給される。
一方、第３のトランジスタ１３には、すでに電流Ｉ３が流れているため、第３のトランジスタ１３のコレクタ電流は、（Ｉ３＋ＩC2）となる。この（Ｉ３＋ＩC2）は、第３及び第４のトランジスタ１３，１４によって構成されたカレントミラーによりミラーされ、第４のトランジスタ１４のコレクタ電流の大きさは、（Ｉ３＋ＩC2）となる。
【０１０３】
ここで、第２のトランジスタ１２は、オフ状態であるためコンデンサ６１からの引き込み電流の大きさは、（Ｉ３＋ＩC2）となる。したがって、スルーレートの大きさは、下記する式７で表される大きさとなる。
【０１０４】
ＳＲ＝（Ｉ３＋ＩC2）／Ｃｃ・・・式７
【０１０５】
このように、スルーレートは、時刻ｔ１〜ｔ２と、時刻ｔ３〜ｔ４に比べ、ＩC2／Ｃｃだけ大きな値となる。
次に、時刻ｔ６〜ｔ７、及び、時刻ｔ８〜ｔ９の入力端子間電位差Ｖdifが約０．６Ｖ未満で、高電圧ＶＨが入力されていた正転入力端子６５に、低電圧ＶＬのパルスが入力された場合の動作について説明する。
このときの第１及び第２のトランジスタ１１，１２の差動対では、第２のトランジスタ１２に電流Ｉ３が全て流れる。一方、第１のトランジスタ１１は、オフ状態となり、コレクタ電流は流れず、そのため、第３のトランジスタ１３にもコレクタ電流は流れない。
【０１０６】
第３及び第４のトランジスタ１３，１４は、カレントミラーであるため、第４のトランジスタ１４にもコレクタ電流は流れない。しかし、第２のトランジスタ１２には、コレクタ電流が流れているため、このコレクタ電流は、第４のトランジスタ１４に流すことができず、その結果、コンデンサ６１に流れ込むこととなる。この電流によりコンデンサ６１は、放電状態となり、Ｐ点（図８参照）の電位が下降することとなる。
電圧増幅器２０の後段は、バッファ１９であるので、出力電圧ＯＵＴもＰ点の電位に追従して下降することとなる。
【０１０７】
次に、時刻ｔ７〜ｔ８で入力端子間電位差Ｖdifが約０．６Ｖ以上となった場合の状態について説明する。
このときの電流供給回路１００Ａの動作は、先の第１の構成例で説明した時刻ｔ７〜ｔ８における動作と同様であり、供給回路用第１及び第４のトランジスタ２１，２４のコレクタ電流ＩC1が流れる。また、電流Ｉ３も既にコンデンサ６１に流れ込んでいるため、コンデンサ６１に流れ込む全電流の大きさは、（Ｉ３＋ＩC1）となる。
したがって、このときのスルーレートＳＲの大きさは、下記する式８で示される大きさとなる。
【０１０８】
ＳＲ＝（Ｉ３＋ＩC1）／Ｃｃ・・・式８
【０１０９】
このように、この場合のスルーレートは、時刻ｔ６〜ｔ７と時刻ｔ８〜ｔ９に比べ、ＩC1／Ｃｃだけ大きな値となる。
ここで、入力端子間電位差Ｖdifが約０．６Ｖ未満の状態では、コレクタ電流ＩC1、又は、ＩC2が流れず、コンデンサ６１に電流が追加供給されないため、従来回路と同じ演算増幅器の安定性を保つことができる。
また、入力端子間電位差Ｖdifが約０．６Ｖ未満の状態では、コレクタ電流ＩC1、ＩC2が流れないので、追加回路（電流供給回路１００Ａ）による入力換算雑音電圧の増加が無い。
【０１１０】
なお、上述の第４の構成例における演算増幅器を構成するトランジスタは、ＰＮＰ型とＮＰＮ型を逆に代えても良いものである。その場合、第３の定電流源３３は、低電源電圧Ｖ−が印加されるような接続とする。また、バイポーラトランジスタに代えて、電界効果トランジスタを用いても好適である。
【０１１１】
次に、図６及び図８を参照しつつ、第５の構成例について説明する。
この第５の構成例は、図８に示された演算増幅器３０Ｂにおいて、図６に示された電流供給回路１００Ｂを用いた構成としたものである。
かかる構成にあっては、約０．６Ｖより低い入力端子間電位差Ｖdifでスルーレートを増大できるという特徴を有するものとなっている。
かかる構成における演算増幅器３０Ｂを用いて、図３に示されたようにボルテージホロアを構成した場合における動作について、図４及び図５の特性線図を参照しつつ説明する。
【０１１２】
まず、供給回路用第１乃至第４のトランジスタ２１〜２４の動作は、先に第２の構成例で説明した通りである。したがって、入力端子間電位差Ｖdifが（約０．６Ｖ−Ｉ４×ＲＡ９）以上となる時刻ｔ２〜ｔ３の間のみ、供給回路用第２及び第３のトランジスタ２２，２３にコレクタ電流ＩC2が流れ、時刻ｔ７〜ｔ８の間のみ、供給回路用第１及び第４のトランジスタ２１，２４にコレクタ電流ＩC1が流れることで、スルーレートが増加することとなる（図５参照）。
【０１１３】
また、入力端子間電位差Ｖdifが（約０．６Ｖ−Ｉ４×ＲＡ９）未満である時刻ｔ１〜ｔ２、時刻ｔ３〜ｔ４、時刻ｔ６〜ｔ７における回動動作は、先に説明した第４の構成例の場合と同様であり、スルーレートの大きさは、式１で表される大きさとなる。
【０１１４】
時刻ｔ２〜ｔ３での入力端子間電位差Ｖdifが（約０．６Ｖ−Ｉ４×ＲＡ９）以上となったときの状態における電流供給回路１００Ｂの動作は、先に説明した第２の構成例における時刻ｔ２〜ｔ３と同様であり、このとき、供給回路用第２及び第３のトランジスタ２２，２３のコレクタ電流ＩC2が流れる。
このコレクタ電流ＩC2は、先の第４の構成例における時刻ｔ２〜ｔ３で説明したように、結果的に、コンデンサ６１からの引き込み電流となる。ところで、コンデンサ６１からは、既に引き込み電流としてＩ３が流れているため、コンデンサ６１からの引き込み電流の総和は、（Ｉ３＋ＩC2）となる。
したがって、スルーレートは、先に示した式７で表される値となり、時刻ｔ２〜ｔ３と時刻ｔ３〜ｔ４に比べ、ＩC2／Ｃｃ大きさ値となる。
【０１１５】
次に、時刻ｔ７〜ｔ８で入力端子間電位差Ｖdifが（約０．６Ｖ−Ｉ４×ＲＡ９）以上となった場合の状態について説明する。
このときの電流供給回路１００Ｂの動作は、先の第２の構成例で説明した時刻ｔ７〜ｔ８における動作と同様であり、このとき、供給回路用第１及び第４のトランジスタ２１，２４のコレクタ電流ＩC1が流れる。このコレクタ電流ＩC1は、先の第４の構成例における時刻ｔ７〜ｔ８で説明したように、結果的にコンデンサ６１への供給電流となる。
【０１１６】
コンデンサ６１へは、既に供給電流として電流Ｉ３が流れ込んでいるため、コンデンサ６１に流れ込む全電流の大きさは、（Ｉ３＋ＩC1）となる。
したがって、このときのスルーレートＳＲの大きさは、先に示した式８で示される大きさとなり、時刻ｔ６〜ｔ７と時刻ｔ８〜ｔ９に比べ、ＩC1／Ｃｃだけ大きな値となる。
ここで、入力端子間電位差Ｖdifが（約０．６Ｖ−Ｉ４×ＲＡ９）未満の状態では、コレクタ電流ＩC1、又は、ＩC2が流れず、コンデンサ６１に電流が追加供給されないため、従来回路と同じ演算増幅器の安定性を保つことができる。
【０１１７】
また、入力端子間電位差Ｖdifが（約０．６Ｖ−Ｉ４×ＲＡ９）未満の状態では、コレクタ電流ＩC1、又は、ＩC2が流れないので、追加回路（電流供給回路１００Ｂ）による入力換算雑音電圧の増加が無い。
なお、上述の第５の構成例における演算増幅器を構成するトランジスタは、ＰＮＰ型とＮＰＮ型を逆に代えても良いものである。その場合、第３の定電流源３３は、低電源電圧Ｖ−が印加されるような接続とする。また、バイポーラトランジスタに代えて、電界効果トランジスタを用いても好適である。
【０１１８】
次に、図７及び図８を参照しつつ、第６の構成例について説明する。
この第６の構成例は、図８に示された演算増幅器３０Ｂにおいて、図７に示された電流供給回路１００Ｃを用いた構成としたものである。
かかる構成にあっては、約０．６Ｖより低い入力端子間電位差Ｖdifでスルーレートを増大できるという特徴を有するものとなっている。
かかる構成例における回路動作は、先に図６及び図８を参照しつつ説明した第５の構成例と基本的に同様であるので、ここでの再度の詳細な説明は、省略することとする。
【０１１９】
次に、図２及び図９を参照しつつ、第７の構成例について説明する。
なお、図８に示された構成要素と同一の構成要素については、同一の符号を付して、その詳細な説明を省略し、以下、異なる点を中心に説明する。
この第７の構成例は、図２及び図８に示された第４の構成例に、補助用第５及び第６のトランジスタ２５，２６、及び、第３の抵抗器５３を用いてなるカレントミラーを付加したものである。
以下、具体的に説明すれば、まず、ＰＮＰ型のバイポーラトランジスタである補助用第５及び第６のトランジスタ２５，２６は、相互のベースと、補助用第５のトランジスタ２５のコレクタとが接続されると共に、その接続点は、負電流第１出力端子７３及び負電流第２出力端子７４に、それぞれ接続されている。
【０１２０】
一方、補助用第５のトランジスタ２５のエミッタには、高電源電圧Ｖ＋が直接印加されるようになっており、補助用第６のトランジスタ２６のエミッタには、第３の抵抗器５３を介して高電源電圧Ｖ＋が印加されるようになっている。
そして、補助用第６のトランジスタ２６のコレクタは、第１及び第２のトランジスタ１１，１２のエミッタに接続されると共に、電位第１検出端子７５に接続されている。
【０１２１】
この第７の構成例においては、スルーレートを増大するための追加供給電流を、補助用第５及び第６のトランジスタ２５，２６を用いてなるカレントミラーによって、先の第４の構成例に比してさらに増大可能としている。
次に、かかる構成における演算増幅器３０Ｃを用いて、図３に示されたようにボルテージホロアを構成した場合における動作について、図４及び図５の特性線図を参照しつつ説明する。
まず、第７の構成例において、入力端子間電位差Ｖdifが約０．６Ｖ未満である時刻ｔ１〜ｔ２、時刻ｔ３〜ｔ４、時刻ｔ６〜ｔ７、時刻ｔ８〜ｔ９における回動動作は、先に説明した第４の構成例の場合と同様であり、スルーレートの大きさは、式１で表される大きさとなる。
【０１２２】
一方、供給回路用第１乃至第４のトランジスタ２１〜２４の動作は、図１及び図２を用いて説明した第１の構成例と同様である。
すなわち、入力端子間電位差Ｖdifが約０．６Ｖ以上になる時刻ｔ２〜ｔ３の間のみ、供給回路用第２及び第３のコレクタ２２，２３にコレクタ電流ＩC2が流れ、時刻ｔ７〜ｔ８の間のみ、供給回路用第１及び第４のトランジスタ２１，２４のコレクタ電流ＩC1が流れる。
【０１２３】
これらのコレクタ電流ＩC1、ＩC2は、補助用第５及び第６のトランジスタ２５，２６、並びに、第３の抵抗器５３により構成されたカレントミラーによりミラーされ、補助用第６のトランジスタ２６からコレクタ電流Ｉａとして、第１及び第２のトランジスタ１１，１２のエミッタに流れ込む。よって、入力端子間電位差Ｖdifが約０．６Ｖ以上になる時刻ｔ２〜ｔ３、及び、時刻ｔ７〜ｔ８のときのみ、第１及び第２のトランジスタ１１，１２からなる差動対に流れる電流の大きさは、（Ｉ３＋Ｉａ）となる。したがって、このときのスルーレートは、先の式２で表される大きさとなり、スルーレートは、Ｉａ／Ｃｃだけ増加することとなる。
【０１２４】
また、入力端子間電位差Ｖdifが約０．６Ｖ未満の状態では、コレクタ電流ＩC1、又は、ＩC2は流れず、そのため、電流Ｉａが、コンデンサ６１に追加供給されないため、従来回路と同じ演算増幅器の安定性を保つことができる。また、入力端子間電位差Ｖdifが約０．６Ｖ未満の状態では、コレクタ電流ＩC1、ＩC2が流れないので、追加回路（電流供給回路１００Ａ）による入力換算雑音電圧の増加が無い。
なお、上述の第７の構成例における演算増幅器を構成するトランジスタは、ＰＮＰ型とＮＰＮ型を逆に代えても良いものである。その場合、第３の定電流源３３は、低電源電圧Ｖ−が印加されるような接続とする。また、バイポーラトランジスタに代えて、電界効果トランジスタを用いても好適である。
【０１２５】
次に、図６及び図９を参照しつつ、第８の構成例について説明する。
この第８の構成例は、図９に示された演算増幅器３０Ｃにおいて、図６に示された電流供給回路１００Ｂを用いた構成としたものである。
かかる構成にあっては、約０．６Ｖより低い入力端子間電位差Ｖdifでスルーレートを増大できるという特徴を有するものとなっている。
かかる構成における演算増幅器３０Ｃを用いて、図３に示されたようにボルテージホロアを構成した場合における動作について、図４及び図５の特性線図を参照しつつ説明する。
【０１２６】
まず、入力端子間電位差Ｖdifが（約０．６Ｖ−Ｉ４×ＲＡ９）未満である時刻ｔ１〜ｔ２、時刻ｔ３〜ｔ４、時刻ｔ６〜ｔ７、時刻ｔ８〜ｔ９における回動動作は、先に説明した第７の構成例の場合と同様であり、スルーレートの大きさは、式１で表される大きさとなる。
一方、供給回路用第１乃至第４のトランジスタ２１〜２４の動作は、図１及び図６を参照しつつ説明した第２の構成例と同様である。つまり、入力端子間電位差Ｖdifが、（約０．６Ｖ−Ｉ４×ＲＡ９）以上になる時刻ｔ２〜ｔ３の間のみ、供給回路用第２及び第３のトランジスタ２３，２４のコレクタ電流ＩC2が流れ、時刻ｔ７〜ｔ８の間のみ、供給回路用第１及び第４のトランジスタ２１，２４のコレクタ電流ＩC1が流れる。
【０１２７】
これらのコレクタ電流ＩC1、ＩC2は、補助用第５及び第６のトランジスタ２５，２６、並びに、第３の抵抗器５３により構成されたカレントミラーによりミラーされ、補助用第６のトランジスタ２６のコレクタ電流Ｉａとして、第１及び第２のトランジスタ１１，１２のエミッタに流れ込む。よって、入力端子間電位差Ｖdifが、（約０．６Ｖ−Ｉ４×ＲＡ９）以上になる時刻ｔ２〜ｔ３、及び、時刻ｔ７〜ｔ８のときのみ、第１及び第２のトランジスタ１１，１２からなる差動対に流れる電流の大きさは、（Ｉ３＋Ｉａ）となる。したがって、このときのスルーレートは、先の式２で表される大きさとなり、スルーレートは、Ｉａ／Ｃｃだけ増加することとなる。
【０１２８】
ここで、入力端子間電位差Ｖdifが（約０．６Ｖ−Ｉ４×ＲＡ９）未満の状態では、コレクタ電流ＩC1、又は、ＩC2は流れず、電流Ｉａが、コンデンサ６１に追加供給されないため、従来回路と同じ演算増幅器の安定性を保つことができる。また、入力端子間電位差Ｖdifが約０．６Ｖ未満の状態では、コレクタ電流ＩC1、ＩC2が流れないので、追加回路（電流供給回路１００Ｂ）による入力換算雑音電圧の増加が無い。
なお、上述の第８の構成例における演算増幅器を構成するトランジスタは、ＰＮＰ型とＮＰＮ型を逆に代えても良いものである。その場合、第３の定電流源３３は、低電源電圧Ｖ−が印加されるような接続とする。また、バイポーラトランジスタに代えて、電界効果トランジスタを用いても好適である。
【０１２９】
次に、図７及び図９を参照しつつ、第９の構成例について説明する。
この第９の構成例は、図９に示された演算増幅器３０Ｃにおいて、図７に示された電流供給回路１００Ｃを用いた構成としたものである。
かかる構成にあっては、約０．６Ｖより低い入力端子間電位差Ｖdifでスルーレートを増大できるという特徴を有するものとなっている。
この第９の構成例における回路動作は、先に図６及び図９を参照しつつ説明した第８の構成例における回路動作と基本的に同一であるので、ここでの再度の詳細な説明は省略することとする。
【産業上の利用可能性】
【０１３０】
回路安定性を損ねることなく、高いスルーレートが所望される演算増幅器に適する。
【符号の説明】
【０１３１】
７１…正電流第１出力端子
７２…正電流第２出力端子
７３…負電流第１出力端子
７４…負電流第２出力端子
７５…電位第１検出端子
７６…電位第２検出端子
１００Ａ，１００Ｂ，１００Ｃ…電流供給回路
【図１】
0005453137.tif 000002
【図２】
0005453137.tif 000003
【図３】
0005453137.tif 000004
【図４】
0005453137.tif 000005
【図５】
0005453137.tif 000006
【図６】
0005453137.tif 000007
【図７】
0005453137.tif 000008
【図８】
0005453137.tif 000009
【図９】
0005453137.tif 000010
【図１０】
0005453137.tif 000011
【図１１】
0005453137.tif 000012